(57)【要約】【課題】消火を有効かつ効率良く行うことができるとともに、水の使用量を抑制することができる消防用放水車を提供する。【解決手段】消防用放水車は、車両に貯水タンク及び該貯水タンクに収容された水を放水するためのポンプを装備するとともに、伸縮可能なブーム２０と、該ブーム２０に沿って延びる送水パイプ１６と、該送水パイプ１６の先端に取付けられる放水用ノズル３１とを装備している。放水用ノズル３１は、その放水角度が変更可能に構成され、該放水用ノズル３１により火災箇所１７に対して上方から放水可能になっている。放水用ノズル３１の放水角度の変更は、リモコンを用いて遠隔操作により行うようになっている。放水用ノズル３１には火災状態を撮影するカメラ３３を備え、該カメラ３３の撮影方向をリモコンによる遠隔操作で変更可能に構成されている。【選択図】図４
2012223434.tif 000002
【特許請求の範囲】
【請求項１】
車両には貯水タンク及び該貯水タンクに収容された水を放水するためのポンプを装備するとともに、伸縮可能なブームと、該ブームに沿って延びる送水パイプと、該送水パイプの先端に取付けられる放水用ノズルとを備え、
前記放水用ノズルをその放水角度が変更できるように構成し、該放水用ノズルにより火災箇所に対して上方から放水可能に構成したことを特徴とする消防用放水車。
【請求項２】
前記放水用ノズルの放水角度の変更を遠隔操作で行うように構成したことを特徴とする請求項１に記載の消防用放水車。
【請求項３】
前記放水用ノズルは複数の放水形態を有し、その放水形態を遠隔操作で変更可能に構成したことを特徴とする請求項１又は請求項２に記載の消防用放水車。
【請求項４】
前記放水用ノズルには火災状態を撮影するカメラを備え、該カメラの撮影方向を遠隔操作で変更可能に構成したことを特徴とする請求項１から請求項３のいずれか１項に記載の消防用放水車。
【請求項５】
前記車両には消火薬剤が収容された消火薬剤用タンクを装備したことを特徴とする請求項１から請求項４のいずれか１項に記載の消防用放水車。
【発明の詳細な説明】
【技術分野】
【０００１】
本発明は、伸縮可能な多段式ブームを備え、送水パイプの先端部に接続された放水用ノズルより例えば建物の火災箇所の上方から下方に向けてピンポイントで放水することが可能な消防用放水車に関する。
【背景技術】
【０００２】
一般に、放水塔付きの消防自動車は放水塔の先端に水ノズルが取付けられ、その水ノズルより建物の火災箇所に向けて放水するようになっている。消防自動車にはそのエンジンによって駆動される水ポンプが装備され、該水ポンプによって加圧された水がパイプを介して前記水ノズルに供給されるように構成されている。この場合、水ノズルから放水される水は大量で、火災箇所に限らず、その周囲に及ぶ。このため、建物は水による被害を被るとともに、大量の水を送るためにパイプを太くし、水の反動力を支えるために放水塔を強固にする必要があり、その結果消防自動車は大型化するという問題があった。
【０００３】
そのような問題を解決するために、特許文献１に記載されている高圧噴霧放水塔付き消防ポンプ自動車が提案されている。すなわち、この消防ポンプ自動車は、高圧ポンプを装備し、屈折式放水塔の先端に設けられた噴霧ノズルより高圧にて噴霧状の極微細な水の粒子を放水するように構成されている。さらに、放水塔の先端が伸縮式になっており、噴霧ノズルを屋内に侵入させて屋内に噴霧放水ができるようになっている。
【先行技術文献】
【特許文献】
【０００４】
【特許文献１】特開平１１−１２８３８３号公報
【発明の概要】
【発明が解決しようとする課題】
【０００５】
しかしながら、特許文献１に記載されている従来構成では、噴霧ノズルが放水塔の延長線上に真直ぐ伸びている（特許文献１の図２を参照）。このため、噴霧ノズルは建物の火災箇所に対して通常横方向（水平方向）から対向するように配置され、火災箇所に向けて水平方向から放水される。火災箇所における火炎は上方向へ延びるのに対して、その直交方向から放水されるため、火炎は横方向へ煽られ、上昇する火炎の勢いを抑えることは難しく、消火の効率が悪い上に、放水された水のうち消火に実質的に寄与する水の割合が少なく、水の無駄が多いという問題があった。
【０００６】
本発明は、このような従来技術に存在する問題点に着目してなされたものであり、その目的とするところは、消火を有効かつ効率良く行うことができるとともに、水の使用量を抑制することができる消防用放水車を提供することにある。
【課題を解決するための手段】
【０００７】
上記の目的を達成するために、請求項１に記載の発明の消防用放水車は、車両には貯水タンク及び該貯水タンクに収容された水を放水するためのポンプを装備するとともに、伸縮可能なブームと、該ブームに沿って延びる送水パイプと、該送水パイプの先端に取付けられる放水用ノズルとを備え、前記放水用ノズルをその放水角度が変更できるように構成し、該放水用ノズルにより火災箇所に対して上方から放水可能に構成したことを特徴とする。
【０００８】
請求項２に記載の消防用放水車は、請求項１に係る発明において、前記放水用ノズルの放水角度の変更を遠隔操作で行うように構成したことを特徴とする。
請求項３に記載の消防用放水車は、請求項１又は請求項２に係る発明において、前記放水用ノズルは複数の放水形態を有し、その放水形態を遠隔操作で変更可能に構成したことを特徴とする。
【０００９】
請求項４に記載の消防用放水車は、請求項１から請求項３のいずれか１項に係る発明において、前記放水用ノズルには火災状態を撮影するカメラを備え、該カメラの撮影方向を遠隔操作で変更可能に構成したことを特徴とする。
【００１０】
請求項５に記載の消防用放水車は、請求項１から請求項４のいずれか１項に係る発明において、前記車両には消火薬剤が収容された消火薬剤用タンクを装備したことを特徴とする。
【発明の効果】
【００１１】
本発明によれば、次のような効果を発揮することができる。
請求項１に係る発明の消防用放水車は、車両には貯水タンク及び該貯水タンクに収容された水を放水するためのポンプを装備するとともに、伸縮可能なブームと、該ブームに沿って延びる送水パイプと、該送水パイプの先端に取付けられる放水用ノズルとを備えている。そして、放水用ノズルはその放水角度が変更できるように構成され、該放水用ノズルにより火災箇所に対して上方から放水可能に構成されている。このため、火災箇所で上昇する火炎に向かうように上方から下方へ放水することができ、火炎を有効に鎮静化させることができる。しかも、放水された水を消火に有効に使用することができ、水の無駄を抑えることができる。
【００１２】
従って、本発明の消防用放水車によれば、消火を有効かつ効率良く行うことができるとともに、水の使用量を抑制することができるという効果を奏する。
【図面の簡単な説明】
【００１３】
【図１】実施形態における消防用放水車であって、ブームを折り畳んだ状態の消防用放水車を示す概略正面図。
【図２】消防用放水車を示す右側面図。
【図３】ブームを伸ばした状態の消防用放水車を示す概略正面図。
【図４】放水用ノズルから火災箇所に放水している状態を示す概略説明図。
【図５】本発明の消防用放水車におけるブームの使用形態の別例を示す概略説明図。
【発明を実施するための形態】
【００１４】
以下、本発明を具体化した実施形態を図１〜図４に基づいて詳細に説明する。
図１及び図２に示すように、消防用放水車１０を構成する車両１１の荷台１２後部には貯水タンク１３が搭載され、該貯水タンク１３には吸水ホース１４が接続され、消火栓や水源池、河川等から貯水タンク１３内に水を補給できるように構成されている。車両１１の荷台１２上で貯水タンク１３の前部には高圧ポンプ１５が配置され、貯水タンク１３内に収容された水を送水パイプ１６へ送るようになっている。この高圧ポンプ１５の圧力は、放水に必要な水圧を得るために０．５〜３ＭＰａ（５〜３０気圧）であることが好ましい。
【００１５】
高圧ポンプ１５の圧力が０．５ＭＰａを下回る場合には、火災箇所（図４参照）１７が高所であるときに水圧が不足し、火災に対して有効に対処することが難しくなる。その一方、３ＭＰａを上回る場合には、水圧が過剰になる傾向を示し、高圧ポンプ１５が大型化したり、駆動エネルギーに無駄が生じたりして好ましくない。
【００１６】
車両１１の荷台１２上で高圧ポンプ１５の前部位置には消火薬剤用タンク１８が装備され、該消火薬剤用タンク１８内にはパーフルオロカーボン（ＰＦＣ）、ヒドロフルオロカーボン（ＨＦＣ）、クロロヒドロフルオロカーボン（ＣＨＦＣ）等により構成された消火薬剤が収容されている。この消火薬剤用タンク１８には図示しない接続配管の一端が接続され、その他端が送水パイプ１６に接続され、消火薬剤用タンク１８内の消火薬剤が送水パイプ１６内の水中に注入される。
【００１７】
車両１１の荷台１２の前後において左右両側にはアウトリガー１９が配設され、火災現場で消火作業を行う際にこれらのアウトリガー１９を左右側方及び下方へ延出して接地させ、消防用放水車１０を安定した状態に保持できるようになっている（図３及び図５を参照）。
【００１８】
車両１１の荷台１２前部には伸縮可能な多段式のブーム２０（本実施形態では５段式のブーム）が搭載されている。最下段の第１ブーム２０ａは荷台１２上で水平旋回可能に支持され、荷台１２後部に配置された制御装置２１からの信号によりアクチュエータで水平旋回するようになっている。この制御装置２１には無線送受信機２２が装備され、消防隊員２３がもつ無線送受信機２４を有するリモートコントロール装置（リモコン）２５で遠隔操作できるように構成されている。
【００１９】
図３に示すように、この第１ブーム２０ａの先端部には、その上の第２ブーム２０ｂの基端部が連結金具２６により回動可能に連結されている。第１ブーム２０ａと連結金具２６との間にはアクチュエータとしての油圧シリンダ２７が架設され、制御装置２１からの信号により油圧シリンダ２７が伸縮駆動されて第１ブーム２０ａに対して第２ブーム２０ｂを折り畳み又は引き伸ばして伸縮できるように構成されている。
【００２０】
第２ブーム２０ｂとその上の第３ブーム２０ｃとの間、第３ブーム２０ｃとその上の第４ブーム２０ｄとの間も、前記第１ブーム２０ａと第２ブーム２０ｂとの間の連結構成と同様に構成され、それぞれ回動可能で伸縮可能に構成されている。
【００２１】
前記各ブーム２０ａ、２０ｂ、２０ｃ、２０ｄには送水パイプ１６が各ブーム２０ａ、２０ｂ、２０ｃ、２０ｄに沿って延びるように支持金具２８で保持され、各ブーム２０ａ、２０ｂ、２０ｃ、２０ｄに保持された送水パイプ１６は順に連通されている。図４に示すように、第４ブーム２０ｄの先端部には第５ブームとしての端部送水パイプ２０ｅが第４ブーム２０ｄに保持された送水パイプ１６に接続されている。この端部送水パイプ２０ｅの上部には正面半円状をなすガイド部材２９が取着され、端部送水パイプ２０ｅの先端部がこのガイド部材２９の上面に沿って円弧状に案内され、端部送水パイプ２０ｅの先端部が下方へ向くように構成されている。
【００２２】
前記端部送水パイプ２０ｅの先端部には、駆動部材（モータ）３０を介して放水用ノズル３１が取着され、該放水用ノズル３１は駆動部材３０によりその放水角度が変更できるように構成されている。放水用ノズル３１は、棒状吐水、放水角度３０度の霧状吐水、放水角度６０度の霧状吐水及び放水角度９０度の霧状吐水の複数の放水形態を有し、前記制御装置２１からの信号により駆動部材３０が駆動されて放水形態を変更できるように構成されている。そして、この放水用ノズル３１により建物３２の火災箇所（火元）１７に対して上方から下方へ向けて放水できるように構成されている。
【００２３】
前記放水用ノズル３１の側部にはカメラ３３が取付けられ、放水用ノズル３１の位置から火災箇所１７における火災状態を撮影するようになっている。このカメラ３３は前記駆動部材３０により放水用ノズル３１とともに動き、撮影方向が変更可能になっている。前記放水用ノズル３１及びカメラ３３は、消防隊員２３がもつリモコン２５の操作により制御装置２１が動作して、放水用ノズル３１の放水角度の変更とカメラ３３の撮影方向の変更を遠隔操作で行うことができるように構成されている。そして、カメラ３３で撮影された映像が消防隊員２３のもつリモコン２５の画面２５ａに表示されるようになっている。
【００２４】
前記制御装置２１では、第１ブーム２０ａの旋回、各ブーム２０ａ、２０ｂ、２０ｃ、２０ｄの伸縮、駆動部材３０の駆動による放水用ノズル３１及びカメラ３３の回動、放水用ノズル３１の吐水形態の変更等がリモコン２５で予め設定された条件下に制御されるほか、水圧、水量等が制御されるように構成されている。
【００２５】
次に、上記のように構成された消防用放水車１０の作用について説明する。
さて、図１及び図２に示すように、第１〜第４ブーム２０ａ、２０ｂ、２０ｃ、２０ｄを折り畳んだ状態で消防用放水車１０を運転し、火災現場へ移動する。図３に示すように、消防用放水車１０が火災現場に到着したとき、消防用放水車１０を火災箇所１７に対して近接する適切な位置に止め、そこでアウトリガー１９を延ばして接地させ、消防用放水車１０を安定化させる。その状態で、消防隊員２３はリモコン２５を操作して制御装置２１により各ブーム２０ａ、２０ｂ、２０ｃ、２０ｄ間の油圧シリンダ２７を駆動させ、各ブーム２０ａ、２０ｂ、２０ｃ、２０ｄが斜め上方へ真直ぐに延びるように動作させる。さらに、図４に示すように、ガイド部材２９に沿って円弧状に形成された端部送水パイプ２０ｅ先端の放水用ノズル３１を、建物３２の屋根３４の消失した開口部３５上方に位置させ、放水用ノズル３１の先端部を下方へ向けるように操作する。
【００２６】
その状態で、消防隊員２３はリモコン２５を操作して高圧ポンプ１５を駆動させると、貯水タンク１３内の水は送水パイプ１６を通って放水用ノズル３１により火災箇所１７に対して真上から放水される。このように、火災箇所１７から上昇する火炎３６に向かうようにピンポイントで直接放水できることから、少量の水で火炎３６の上昇する勢いを有効に抑えることができる。
【００２７】
その上、消防隊員２３はリモコン２５を操作して放水用ノズル３１に取付けられているカメラ３３を動作させ、火災箇所１７における火炎の状況をリモコン２５の画面２５ａで視認し、判断することができる。このため、消防隊員２３は火炎３６の動きに合わせて放水用ノズル３１の放水角度を変更し、又は放水形態を変更し、或いは放水量を変更することにより、火炎３６を順に消失させることができる。
【００２８】
加えて、消防隊員２３は油火災等の消火のために消火薬剤が必要と判断したときには、リモコン２５を操作して制御装置２１の作動により消火薬剤用タンク１８から消火薬剤を送水パイプ１６に注入する。送水パイプ１６に注入された消火薬剤は水と混合され、放水用ノズル３１から水とともに放水される。
【００２９】
火災箇所１７の移動に伴って放水用ノズル３１の位置を変更したい場合には、消防隊員２３はリモコン２５による遠隔操作によって、第１ブーム２０ａの旋回、第１〜第４ブーム２０ａ、２０ｂ、２０ｃ、２０ｄの伸縮、端部送水パイプ２０ｅの位置変更、放水用ノズル３１の角度変更等を手元で速やかに行うことができる。
【００３０】
以上の実施形態によって発揮される効果を以下にまとめて記載する。
（１）本実施形態の消防用放水車１０では、送水パイプ１６の先端に取付けられた放水用ノズル３１はその放水角度が変更できるように構成されている。このため、火災箇所１７で上昇する火炎３６に対向するように真上から放水することができ、火炎３６を有効かつ短時間に鎮静化させることができる。しかも、放水された水のほとんどが消火に寄与することから、水を消火に有効に使用することができ、水の無駄を抑えることができる。
【００３１】
従って、本実施形態の消防用放水車１０によれば、消火を有効かつ効率良く行うことができるとともに、水の使用量を抑制することができるという効果を奏する。
（２）前記放水用ノズル３１の放水角度の変更は、消防隊員がリモコン２５により遠隔操作で行うように構成されている。このため、放水用ノズル３１の放水角度の変更を容易かつ迅速に行うことができる。
（３）前記放水用ノズル３１は複数の放水形態を有し、消防隊員２３はその放水形態をリモコン２５により遠隔操作で変更可能に構成されている。そのため、最適な放水形態を選択することができ、火災箇所１７の消火を的確に行うことができる。
（４）前記放水用ノズル３１には火災状態を撮影するカメラ３３が装備され、消防隊員２３がそのカメラ３３の撮影方向をリモコン２５により遠隔操作で変更可能に構成されている。従って、消防隊員２３は火災状態を視認して適切に対処することができ、消火を一層効率良く行うことができる。
（５）前記車両１１には消火薬剤を収容した消火薬剤用タンク１８が装備されている。このため、油火災などの消火に際して消火薬剤を使用して適切に消火を行うことができる。
【００３２】
なお、前記実施形態を次のように変更して具体化することも可能である。
・  図５の一点鎖線に示すように、第４ブーム２０ｄを第３ブーム２０ｃに対して直交方向に延びるように構成することができる。この場合には、火災箇所１７が前記実施形態よりも低い位置にあるときに消火を容易に行うことができる。
【００３３】
また、図５の二点鎖線に示すように、第３ブーム２０ｃを第２ブーム２０ｂに対して直交方向に延びるように構成することもできる。この場合、火災箇所１７が前記実施形態よりもさらに低い位置にあり、かつ消防用放水車１０から遠い位置にあるときに消火を容易に行うことができる。
【００３４】
・  前記ブーム２０の数を増減変更したり、各ブーム２０ａ、２０ｂ、２０ｃ、２０ｄの長さを変更したりすることができる。また、ブーム２０自体を油圧シリンダ等で伸縮可能に構成することも可能である。この場合、送水パイプ１６をゴムホース等に変更し、ブーム２０の伸縮に追従できるようにすることが望ましい。
【００３５】
・  前記カメラ３３で得られた画像データに基づいて、放水用ノズル３１の放水角度の変更や放水量の変更を制御装置２１で自動的の行わせるように構成することも可能である。
【００３６】
・  前記放水用ノズル３１に温度センサや光センサを取付け、放水用ノズル３１が温度の高い方又は光強度の強い方へ向くように制御装置２１で放水用ノズル３１の放水角度を変更するように構成することもできる。
【００３７】
次に、前記実施形態より把握できる技術的思想について以下に記載する。
（イ）前記車両には制御装置を備え、該制御装置からの信号によりアクチュエータを駆動させてブームを回動させ又は伸縮させるとともに、放水用ノズルを回動させてその放水角度を変更させるように構成したことを特徴とする請求項１から請求項５のいずれか１項に記載の消防用放水車。このように構成した場合、請求項１から請求項５のいずれかに係る発明の効果に加えて、制御装置の動作によりブームの回動又は伸縮、さらには放水用ノズルの放水角度の変更を所定の条件設定により容易に行うことができる。
（ロ）前記制御装置には無線送受信機を装備するとともに、消防隊員が携帯するリモートコントロール装置には前記制御装置の無線送受信機と送受信を行う無線送受信機を備えることを特徴とする前記技術的思想（イ）に記載の消防用放水車。このように構成した場合、技術的思想（イ）に係る発明の効果に加えて、消防隊員は手元で制御装置の動作を容易に制御することができる。
【符号の説明】
【００３８】
１０…消防用放水車、１１…車両、１３…貯水タンク、１５…高圧ポンプ、１６…送水パイプ、１７…火災箇所、１８…消火薬剤用タンク、２０…ブーム、２０ａ…第１ブーム、２０ｂ…第２ブーム、２０ｃ…第３ブーム、２０ｄ…第４ブーム、２０ｅ…第５ブームとしての端部送水パイプ、３１…放水用ノズル、３３…カメラ。
【図１】
2012223434.tif 000003
【図２】
2012223434.tif 000004
【図３】
2012223434.tif 000005
【図４】
2012223434.tif 000006
【図５】
2012223434.tif 000007